(57)【要約】【課題】  インターホン等の電気設備を確実に固定することができるとともに、スムーズな配線を可能とする壁パネルを提供すること。【解決手段】  上下の横枠１、２および左右の縦枠３、４により組み立てられた矩形の枠体５の前後に面材６、７が配設され、上横枠に上下に貫通する通線孔１４が形成された壁パネルにおいて、縦枠の長さ方向にのび、縦枠より厚みの薄い複数枚の板体８、９が、枠体の内部において互いに平行に配置され、面材の裏面に面接着されている。【選択図】 図１
2006322306.tif 000002
【特許請求の範囲】
【請求項１】
上下の横枠および左右の縦枠により組み立てられた矩形の枠体の前後に面材が配設され、上横枠に上下に貫通する通線孔が形成された壁パネルにおいて、縦枠の長さ方向にのび、縦枠より厚みの薄い複数枚の板体が、枠体の内部において互いに平行に配置され、面材の裏面に面接着されていることを特徴とする壁パネル。
【請求項２】
上下の横枠および左右の縦枠により組み立てられた矩形の枠体の内部に縦桟が縦枠に平行に配設され、枠体の前後に面材が配設され、上横枠に上下に貫通する通線孔が形成された壁パネルにおいて、縦枠の長さ方向にのび、縦枠より厚みの薄い１枚の板体が、枠体の内部において縦枠と縦桟との間に縦枠および縦桟に平行に配置され、面材の裏面に面接着されていることを特徴とする壁パネル。
【請求項３】
上下の横枠および左右の縦枠により組み立てられた矩形の枠体の前後に面材が配設され、上横枠に上下に貫通する通線孔が形成された壁パネルにおいて、面材に矩形の開口が形成され、面材の裏面側において開口の外周に縦枠より厚みの薄い額縁が面材の裏面に面接着されていることを特徴とする壁パネル。
【発明の詳細な説明】
【技術分野】
【０００１】
本願発明は、壁パネルに関する。
【背景技術】
【０００２】
間仕切壁等の形成に用いられる壁パネルは、上下の横枠および左右の縦枠により組み立てられた矩形の枠体の内部に縦桟が縦枠に平行に設けられ、枠体の前後に石膏ボード等の面材が配設されて形成されている（たとえば、特許文献１参照）。
【０００３】
このような壁パネルにインターホン等の電気設備を取り付ける場合、一般に、縦枠および縦桟以外に取り付け補強用の桟材が枠体の内部に配設される。
【特許文献１】特開平８−２３９９４７号公報
【発明の開示】
【発明が解決しようとする課題】
【０００４】
そのような補強用の桟材により電気設備を確実に固定することができる一方で、桟材は縦枠と同一厚みを有しているため、枠体の内部で配線を行うとき、桟材が配線の邪魔をし、配線がスムーズに行われないことがしばしばあった。配線を行うためには桟材に通線孔を穿孔しなければならないが、配線が多い場合、多くの通線孔を必要とすることから桟材の強度低下につながる。このような配線についての問題は、壁パネルの上横枠についても同様に指摘される。上横枠を上下に貫通して形成される入線のための通線孔の数が多くなると、上横枠の強度が低下する。
【０００５】
本願発明は、このような事情に鑑みてなされたものであり、インターホン等の電気設備を確実に固定することができるとともに、スムーズな配線を可能とする壁パネルを提供することを課題としている。
【課題を解決するための手段】
【０００６】
本願発明は、上記の課題を解決するために、第１に、上下の横枠および左右の縦枠により組み立てられた矩形の枠体の前後に面材が配設され、上横枠に上下に貫通する通線孔が形成された壁パネルにおいて、縦枠の長さ方向にのび、縦枠より厚みの薄い複数枚の板体が、枠体の内部において互いに平行に配置され、面材の裏面に面接着されていることを特徴としている。
【０００７】
本願発明は、第２に、上下の横枠および左右の縦枠により組み立てられた矩形の枠体の内部に縦桟が縦枠に平行に配設され、枠体の前後に面材が配設され、上横枠に上下に貫通する通線孔が形成された壁パネルにおいて、縦枠の長さ方向にのび、縦枠より厚みの薄い１枚の板体が、枠体の内部において縦枠と縦桟との間に縦枠および縦桟に平行に配置され、面材の裏面に面接着されていることを特徴としている。
【０００８】
本願発明は、第３に、上下の横枠および左右の縦枠により組み立てられた矩形の枠体の前後に面材が配設され、上横枠に上下に貫通する通線孔が形成された壁パネルにおいて、面材に矩形の開口が形成され、面材の裏面側において開口の外周に縦枠より厚みの薄い額縁が面材の裏面に面接着されていることを特徴としている。
【発明の効果】
【０００９】
本願の第１の発明によれば、面材の裏面に面接着される２枚の板体の接着強度によりインターホン等の電気設備を確実に固定することができる。枠体の内部に縦桟および桟材が存在せず、板体は縦枠より厚みが薄いため、板体の裏側を配線することができ、枠体の内部で自在に配線することができる。そして、壁パネルの上横枠に形成する通線孔の数を必要最低限に抑えることができ、上横枠の強度は十分維持される。
【００１０】
本願の第２の発明によれば、インターホン等の電気設備は、面材の裏面に面接着された１枚の板体とこの板体の近くに配置された壁パネルの縦枠または縦桟に取り付けられる。板体は面材の裏面に面接着されているため、接着強度により電気設備の固定を確実なものとすることができる。配線は、板体が縦枠より厚みが薄いため、板体の裏側で縦桟をよけて行うことができ、縦桟に通線孔を穿孔せずにすむ。縦桟の強度維持が可能となる。また、壁パネルの上横枠に穿孔する通線孔の数を必要最低限に抑えることができ、上横枠の強度保持も可能となる。
【００１１】
本願の第３の発明によれば、面材の裏面側において矩形の開口の外周に配設され、面材の裏面に面接着される額縁により面材を補強することができ、インターホン等の電気設備を確実に固定することができる。枠体の内部に縦桟および桟材が存在せず、額縁は縦枠より厚みが薄いため、額縁の裏側を配線することができ、枠体の内部で自在に配線することができる。そして、壁パネルの上横枠に形成する通線孔の数を必要最小限に抑えることができ、上横枠の強度は十分維持される。
【００１２】
また、額縁によって、矩形の開口の四隅に発生しやすいクラックを抑制することができる。額縁は、各壁パネルに共通の仕様とすることができ、額縁の作製および保管、壁パネルへの取り付け等の統一化が図られる。さらに、面材を補強する額縁は開口の周囲にのみ存在するので、たとえば３連電気器具のような横長の器具の取り付けも可能となる。
【発明を実施するための最良の形態】
【００１３】
図１＜ａ＞＜ｂ＞＜ｃ＞は、それぞれ、本願発明の壁パネルの一実施形態を示した背面図、縦断面図、横断面図である。
【００１４】
壁パネルは、上下の横枠１、２および左右の縦枠３、４により組み立てられた矩形の枠体５を備えている。枠体５は木製であり、前後には石膏ボード等の面材６、７が配設されている。図１＜ａ＞の背面図は後側の面材７を取り除いて示している。
【００１５】
枠体５の内部には、縦枠３、４の長さ方向にのびる２枚の板体８、９が互いに平行に配置されている。板体８、９は、縦枠３、４より厚みが薄く、それぞれ、前側の面材６の裏面に接着剤により面接着されている。板体８、９は、インターホン１０の取り付けに用いられるビス等の固定具１１の使用を可能とする適宜な材質のものとすることができ、たとえば合板等が例示される。
【００１６】
前側の面材６には、インターホン１０の大きさに合わせて開口１２が形成される。開口１２は板体８、９の間に形成される。インターホン１０は、本体１０１を、開口１２を通じて壁パネルの枠体５の内部に挿入し、化粧カバー１０２を開口１２の周縁部に配置して固定具１１により取り付けられ、固定される。インターホン１０の取り付けに際して板体８、９には固定具１１による固定力等が加わるが、板体８、９は、面材６に面接着されているため、縦枠３、４より厚みが薄いにもかかわらず、その接着強度で面材６に加わる固定力等の力を受けることができ、また、端部において面材６に力が集中して割れが生じるのを抑えるように力を分散させることができる。桟材ではなくともインターホン１０を安定して確実に取り付けることができる。このような所要の接着強度が実現されるように板体８、９の面積が設定されている。
【００１７】
板体８、９は、図１＜ａ＞＜ｂ＞に示したような縦枠３、４の長さ方向にのびる長尺の部材とすることができる他、開口１２の長さに対応させて短尺の部材とすることもできる。短尺の部材とする場合、板体８、９の形状は正方形とすることもできるが、正方形に近いほど横幅が長くなるので、幅の短い壁パネルでは設置がむずかしくなることから縦長の長方形とするのが好ましい。また、板体８、９は、所要の接着強度が得られれば、図１＜ａ＞＜ｂ＞に示したように、上下端を横枠１、２にそれぞれ当接させなくともよい。もちろん、板体８、９は、上下の横枠１、２に当接する長さを有する部材とすることも可能である。
【００１８】
インターホン１０に電気線１３を接続するために、壁パネルの上横枠１には、上下に貫通する通線孔１４が１つ設けられている。電気線１３は、通線孔１４を通じて壁パネルの枠体５の内部で配線される。板体８、９は桟材ではなく、縦枠３、４より厚みの薄い部材であるため、裏側に電気線１３を通すことができ、配線の邪魔をしない。配線は枠体５の内部で自在に行うことができ、スムーズとなる。壁パネルの面材６にスイッチ１５、コンセント１６等を設ける場合にも、電気線１７、１８は板体８、９の裏側を通すことができるため、枠体５の内部への入線に必要な通線孔は、インターホン１０の配線に設けた通線孔１４を利用することができる。通線孔１４の数は配線に必要な最低限の数に抑えることができ、上横枠１の強度は十分に維持される。
【００１９】
図２＜ａ＞＜ｂ＞＜ｃ＞は、それぞれ、本願発明の壁パネルの別の実施形態を示した背面図、縦断面図、横断面図である。図２＜ａ＞＜ｂ＞＜ｃ＞の記載形式は図１＜ａ＞＜ｂ＞＜ｃ＞の記載形式に一致させている。
【００２０】
図２＜ａ＞＜ｂ＞＜ｃ＞に示した壁パネルでは、枠体５の中央部に縦桟１９が配設されている。また、枠体５の内部において右縦枠４と縦桟１９との間に、縦枠３、４の長さ方向にのびる１枚の板体８が、右縦枠４および縦桟１９と平行に配置されている。板体８は、図１＜ａ＞＜ｂ＞＜ｃ＞に示した壁パネルと同様に、縦枠３、４より厚みが薄く、前側の面材６の裏面に面接着されている。
【００２１】
インターホン１０を取り付けるための開口１２は、図２＜ａ＞＜ｃ＞に示したように縦桟１９と板体８との間に形成される。したがって、インターホン１０は固定具１１により縦桟１９と板体８とに取り付けられ、固定される。縦桟１９は、枠体５に接続される部材であり、インターホン１０の取付強度は十分高い。一方、板体８は、図１＜ａ＞＜ｂ＞＜ｃ＞に示した壁パネルと同様に、接着剤により面材６の裏面に面接着され、所要の接着強度が得られるように面積が設定されているため、縦枠３、４より厚みが薄くとも、その接着強度により固定具１１によるインターホン１０の固定を可能とする。したがって、インターホン１０は安定して壁パネルに確実に取り付けられる。
【００２２】
インターホン１０に接続する電気線１３は、上横枠１の右端側に形成された上下に貫通する通線孔１４を通じて枠体５の内部で配線される。板体８は桟材ではなく、縦枠３、４より厚みが薄いため、裏側に配線することができる。通線孔１４には、面材６の右端側に配設されるスイッチ１５等の電気線１８を通すこともできる。上横枠１の左端側には通線孔２０を上下に穿孔することができ、面材６の左側に配設するコンセント１６に接続する電気線１７の配線に対応する。このように、縦桟１９が枠体５の中央部に配設される場合、枠体５の上横枠１に穿孔する通線孔は、上横枠１の左右両端側に１つずつ設ければよく、電気線１３、１７、１８の配線に必要とされる通線孔の数を必要最低限な数とすることができる。上横枠１の強度が保持される。そして、枠体５の内部の左右両側において別々に配線することができ、縦桟１９に通線孔を穿孔する必要はない。縦桟１９の強度も維持される。
【００２３】
図３＜ａ＞＜ｂ＞＜ｃ＞は、それぞれ、本願発明の壁パネルの別の実施形態を示した背面図、縦断面図、横断面図である。図３＜ａ＞＜ｂ＞＜ｃ＞の記載形式は図２＜ａ＞＜ｂ＞＜ｃ＞の記載形式に準じる。
【００２４】
図３＜ａ＞＜ｂ＞＜ｃ＞に示した壁パネルでは、図２＜ａ＞＜ｂ＞＜ｃ＞に示した壁パネルと同様に、枠体５の中央部に縦桟１９が配設されている。一方、図３＜ａ＞＜ｂ＞＜ｃ＞に示した壁パネルでは、枠体５の内部において左縦枠３と縦桟１９との間に、縦枠３、４の長さ方向にのびる１枚の板体８が、左縦枠３および縦桟１９に平行に配置されている。板体８は、図２＜ａ＞＜ｂ＞＜ｃ＞に示した壁パネルと同様に、縦枠３、４の厚みより薄く、前側の面材６の裏面に面接着されている。
【００２５】
インターホン１０を取り付けるための開口１２は、図３＜ａ＞＜ｃ＞に示したように左縦枠３と板体８との間に形成される。したがって、インターホン１０は固定具１１により左縦枠３と板体８とに取り付けられ、固定される。左縦枠３は、枠体５を構成する部材であり、インターホン１０の取付強度は十分高い。一方、板体８は、図２＜ａ＞＜ｂ＞＜ｃ＞に示した壁パネルと同様に、接着剤により面材６の裏面に面接着され、所要の接着強度が得られるように面積が設定されているため、縦枠３、４より厚みが薄いにもかかわらず、その接着強度により固定具１１によるインターホン１０の固定を可能とする。したがって、インターホン１０は安定して壁パネルに確実に取り付けられる。
【００２６】
インターホン１０に接続する電気線１３は、上横枠１の左端側に形成された上下に貫通する通線孔１４を通じて枠体５の内部で配線される。板体８は桟材ではなく、縦枠３、４より厚みが薄いので、裏側に配線することができる。通線孔１４には、面材６の左端側に配設されるコンセント１６等の電気線１７を通すこともできる。図２＜ａ＞＜ｂ＞＜ｃ＞に示した壁パネルと同様に、上横枠１の右端側には通線孔２０を上下に穿孔することができ、面材６の右側に配設するスイッチ１５に接続する電気線１８の配線に対応する。このように、縦桟１９が枠体５の中央部に配設される場合、枠体５の上横枠１に穿孔する通線孔は、上横枠１の左右両端側に１つずつ設ければよく、電気線１３、１７、１８の配線に必要とされる通線孔の数を必要最低限な数とすることができる。上横枠１の強度が保持される。そして、枠体５の内部の左右両側において別々に配線することができ、縦桟１９に通線孔を穿孔する必要はない。縦桟１９の強度も維持される。
【００２７】
図４＜ａ＞＜ｂ＞＜ｃ＞は、それぞれ、本願発明の壁パネルの別の実施形態を示した背面図、縦断面図、横断面図である。
【００２８】
壁パネルは、上下の横枠１、２および左右の縦枠３、４により組み立てられた矩形の枠体５を備えている。枠体５は木製であり、前後に石膏ボード等の面材６、７が配設されている。図４＜ａ＞の背面図は後側の面材７を取り除いて示している。
【００２９】
前側の面材６には、インターホン１０の大きさに合わせて矩形の開口１２が形成されている。面材６の裏面側において開口１２の外周には額縁２１が面材６の裏面に接着剤により面接着され、面材６を補強している。
【００３０】
インターホン１０は、本体１０１を、開口１２を通じて壁パネルの枠体５の内部に挿入し、化粧カバー１０２を開口１２の周縁部に配置して固定具１１により取り付けられ、固定される。インターホン１０の取り付けに際して固定具１１による固定力等は額縁２１で受けることができる。額縁２１は、縦枠３、４より厚みが薄いが、面材６の裏面に面接着されているため、その接着強度で面材６に加わる固定力等の力を受けることができる。また、矩形の開口１２の四隅に集中しやすい力を分散させることができ、クラックの発生を抑制することができる。このため、桟材ではなくともインターホン１０を安定して確実に取り付けることができる。
【００３１】
インターホン１０に電気線１３を接続するために、壁パネルの上横枠１には、上下に貫通する通線孔１４が１つ設けられている。電気線１３は、通線孔１４を通じて壁パネルの枠体５の内部で配線される。額縁２１は、厚みが縦枠３、４より薄いため、裏側に電気線１３を通すことができ、配線の邪魔をしない。配線は枠体５の内部で自在に行うことができ、スムーズとなる。壁パネルの面材６に設けるスイッチ１５、コンセント１６等に接続する電気線１７、１８も枠体５の内部で配線することができる。枠体５の内部への入線に必要な通線孔は、インターホン１０の配線に設けた通線孔１４を利用することができ、通線孔１４の数は配線に必要な最低限の数に抑えることができる。上横枠１の強度が十分に維持される。
【００３２】
また、額縁２１は、面材６の裏面の開口１２の外周にのみ存在し、枠体５の内部には図１〜図３に示したような板体８、９や縦桟１９が設けられないため、コンセント１６としてたとえば３連電気器具のような横長の器具を適用することができる。
【００３３】
額縁２１は、たとえば図５＜ａ＞に示したように、長短２種類の板体２１１、２１２を用意し、各一対を図４＜ａ＞＜ｂ＞＜ｃ＞に示した開口１２の幅に対応させて離間配置し、タッカー２２を用いて接合することにより作製することができる。また、図５＜ｂ＞に示したように、同じ大きさの板体２１３を４枚用意し、各板体２１３の端部において直角に突き合わせ、タッカー２２でつないで作製することもできる。さらに、図５＜ｃ＞に示したように、１枚の比較的大きな板体２１４を用意し、開口１２と同じ大きさの開口を打ち抜いて作製することもできる。板体２１１、２１２、２１３、２１４には、たとえば合板等を用いることができる。
【００３４】
このようにして形成される額縁２１は、各壁パネルにおいて共通の仕様とすることができ、額縁２１の作製および保管、壁パネルへの取り付け等を統一化することができる。
【図面の簡単な説明】
【００３５】
【図１】＜ａ＞＜ｂ＞＜ｃ＞は、それぞれ、本願発明の壁パネルの一実施形態を示した背面図、縦断面図、横断面図である。
【図２】＜ａ＞＜ｂ＞＜ｃ＞は、それぞれ、本願発明の壁パネルの別の実施形態を示した背面図、縦断面図、横断面図である。
【図３】＜ａ＞＜ｂ＞＜ｃ＞は、それぞれ、本願発明の壁パネルの別の実施形態を示した背面図、縦断面図、横断面図である。
【図４】＜ａ＞＜ｂ＞＜ｃ＞は、それぞれ、本願発明の壁パネルの別の実施形態を示した背面図、縦断面図、横断面図である。
【図５】＜ａ＞＜ｂ＞＜ｃ＞は、それぞれ、額縁の一形態を示した平面図である。
【符号の説明】
【００３６】
１、２    横枠
３、４    縦枠
５    枠体
６、７    面材
８、９    板体
１０    インターホン
１０１    本体
１０２    化粧カバー
１１    固定具
１２    開口
１３、１７、１８    電気線
１４、２０    通線孔
１５    スイッチ
１６    コンセント
１９    縦桟
２１  額縁
２１１、２１２、２１３、２１４  板体
２２    タッカー
【図１】
2006322306.tif 000003
【図２】
2006322306.tif 000004
【図３】
2006322306.tif 000005
【図４】
2006322306.tif 000006
【図５】
2006322306.tif 000007